(57)【要約】【課題】風切り音による騒音の発生を抑制できる、波長変換素子、照明装置およびプロジェクターを提供する。【解決手段】回転軸の周りに回転可能な基板と、基板に設けられ、回転軸が挿入される穴と、基板の回転軸が挿入される側と反対側の面に設けられ、無機材料からなる円盤形状の波長変換層と、を備える波長変換素子に関する。【選択図】図１
2016146293.tif 000002
【特許請求の範囲】
【請求項１】
回転軸の周りに回転可能な基板と、
前記基板に設けられ、前記回転軸が挿入される穴と、
前記基板の前記回転軸が挿入される側と反対側の面に設けられ、無機材料からなる円盤形状の波長変換層と、を備える
波長変換素子。
【請求項２】
前記波長変換層の外径は、前記基板の外径と同じである
請求項１に記載の波長変換素子。
【請求項３】
第１の波長帯の光を射出する光源と、
前記第１の波長帯の前記光を受けて第２の波長帯の光を射出する、請求項１又は２に記載の波長変換素子と、
前記穴に挿入される回転軸と、
前記回転軸とともに前記基板を前記回転軸の周りに回転させる回転装置と、を備える
照明装置。
【請求項４】
第１の波長帯の光を射出する光源と、
前記第１の波長帯の前記光を受けて第２の波長帯の光を射出する、請求項１に記載の波長変換素子と、
貫通穴から構成された前記穴に挿入される回転軸と、
前記回転軸と前記基板の前記穴とを固定するハブと、
前記回転軸とともに前記基板を前記回転軸の周りに回転させる回転装置と、を備え、
前記ハブは、前記穴と嵌合される嵌合部分を備え、
前記嵌合部分の前記回転軸の軸方向の高さが前記基板の厚さより低い
照明装置。
【請求項５】
前記ハブの外径は、前記波長変換層の外径よりも大きい
請求項４に記載の照明装置。
【請求項６】
前記光源から射出された前記第１の波長帯の光は、前記波長変換層のうち前記穴の外周側の領域に照射される
請求項３〜５のいずれか一項に記載の照明装置。
【請求項７】
請求項３〜６のいずれか一項に記載の照明装置と、
前記照明装置からの照明光を画像情報に応じて変調することにより画像光を形成する光変調装置と、
前記画像光を投射する投射光学系と、を備える
プロジェクター。
【発明の詳細な説明】
【技術分野】
【０００１】
本発明は、波長変換素子、照明装置およびプロジェクターに関するものである。
【背景技術】
【０００２】
近年、プロジェクター用の照明装置として、回転蛍光体板を用いたものがある。回転蛍光体板は、蛍光体層が設けられた基板を回転させながら、基板上の蛍光体層に励起光を照射することで蛍光を発生させ、該蛍光を含んだ照明光を生成するものである。
【０００３】
下記特許文献１には、透明基板上に円環状の蛍光体層が設けられた回転蛍光板が開示されている。
【先行技術文献】
【特許文献】
【０００４】
【特許文献１】特開２００９−２７７５１６号公報
【発明の概要】
【発明が解決しようとする課題】
【０００５】
回転蛍光板が回転すると基板の端部近傍に乱流が発生し、風切り音が発生する。従来の回転蛍光板では、風切り音による騒音が大きいという問題点があった。このような風切り音は人にとって耳障りになるため、これを抑制する必要がある。
【０００６】
本発明はこのような事情に鑑みてなされたものであって、風切り音による騒音が小さい、波長変換素子、照明装置およびプロジェクターを提供することを目的とする。
【課題を解決するための手段】
【０００７】
本発明の第１態様に従えば、回転軸の周りに回転可能な基板と、前記基板に設けられ、前記回転軸が挿入される穴と、前記基板の前記回転軸が挿入される側と反対側の面に設けられ、無機材料からなる円盤形状の波長変換層と、を備える波長変換素子が提供される。
【０００８】
第１態様に係る波長変換素子によれば、円盤形状の波長変換素子が形成されることで基板の表面の段差の数を少なくすることができる。よって、基板が回転した際、基板の段差近傍に生じる乱流の発生が抑えられて、結果的に、風切り音による騒音が低減される。
【０００９】
上記第１態様において、前記波長変換層の外径は、前記基板の外径と同じとするのが好ましい。
この構成によれば、段差の数がより少なくなるので、さらに騒音を低減することができる。
【００１０】
本発明の第２態様に従えば、第１の波長帯の光を射出する光源と、前記第１の波長帯の前記光を受けて第２の波長帯の光を射出する、上記第１態様に係る波長変換素子と、前記穴に挿入される回転軸と、前記回転軸とともに前記基板を前記回転軸の周りに回転させる回転装置と、を備える照明装置が提供される。
【００１１】
第２態様に係る照明装置は風切り音による騒音が低減された波長変換素子を備えているため、騒音が小さい。
【００１２】
本発明の第３態様に従えば、第１の波長帯の光を射出する光源と、前記第１の波長帯の前記光を受けて第２の波長帯の光を射出する、請求項１に記載の波長変換素子と、貫通穴から構成された前記穴に挿入される回転軸と、前記回転軸と前記基板の前記穴とを固定するハブと、前記回転軸とともに前記基板を前記回転軸の周りに回転させる回転装置と、を備え、前記ハブは、前記穴と嵌合される嵌合部分を備え、前記嵌合部分の前記回転軸の軸方向の高さが前記基板の厚さより低い照明装置が提供される。
【００１３】
第３態様に係る照明装置は風切り音による騒音が低減された波長変換素子を備えているため、騒音が小さい。また、嵌合部分の回転軸の軸方向の高さが基板の厚さより低いので、貫通穴に取り付けられたハブが波長変換層に接触することが防止される。
また、貫通孔は、プレスにより外径と同時に形成されるため、高い同心度が確保される。よって、基板が回転する際のがたつきや面ブレの発生を抑制することができる。
【００１４】
上記第２又は第３態様において、前記ハブの外径は、前記波長変換層の外径よりも大きいのが好ましい。
この構成によれば、ハブと基板とを固定する際、波長変換層にダメージを与えることなく、基板面を加圧することができる。よって、ハブと基板とを強固に固定することができる。
【００１５】
上記第２又は第３態様において、前記光源から射出された前記第１の波長帯の光は、前記波長変換層のうち前記穴の外周側の領域に照射されるのが好ましい。
基板の穴の部分においては基板の厚みが薄いため、基板を介した波長変換層の冷却効果が比較的小さい。しかし、この構成によれば、波長変換層における発熱領域は冷却効果が比較的大きい領域に位置するため、波長変換層の温度が過度に上昇して劣化してしまうといった不具合の発生が防止される。
【００１６】
本発明の第４態様に従えば、上記第２態様に係る照明装置と、前記照明装置からの照明光を画像情報に応じて変調することにより画像光を形成する光変調装置と、前記画像光を投射する投射光学系と、を備えるプロジェクターが提供される。
【００１７】
第４態様に係るプロジェクターは上記第２態様に係る照明装置を備えるので、風切り音による騒音が低減されたものとなる。
【図面の簡単な説明】
【００１８】
【図１】プロジェクターの光学系の構成を示す図。
【図２】（ａ）、（ｂ）は回転蛍光板を説明するために示す図。
【図３】第１の変形例に係る回転蛍光板の構成を示す図。
【図４】第２の変形例に係る回転蛍光板の構成を示す図。
【図５】第３の変形例に係る回転蛍光板の構成を示す図。
【発明を実施するための形態】
【００１９】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００２０】
本実施形態に係るプロジェクターの一例について説明する。本実施形態のプロジェクターは、スクリーン（被投射面）ＳＣＲ上にカラー映像を表示する投射型画像表示装置である。プロジェクターは、赤色光、緑色光、青色光の各色光に対応した３つの液晶光変調装置を備えている。プロジェクターは、照明装置の光源として、高輝度・高出力な光が得られる半導体レーザーを備えている。
【００２１】
図１は、本実施形態に係るプロジェクターの光学系を示す概略図である。
プロジェクター１は、図１に示すように、第１照明装置１００、第２照明装置１０２、色分離導光光学系２００、液晶光変調装置４００Ｒ，４００Ｇ，４００Ｂ、クロスダイクロイックプリズム５００及び投写光学系６００を備える。
【００２２】
第１照明装置１００は、第１光源１０、コリメート光学系７０、ダイクロイックミラー８０、コリメート集光光学系９０、回転蛍光板（波長変換素子）３０、モーター５０、第１レンズアレイ１２０、第２レンズアレイ１３０、偏光変換素子１４０及び重畳レンズ１５０を備える。
【００２３】
第１光源１０は、励起光としてレーザー光からなる第１の波長帯の青色光（発光強度のピーク：約４４５ｎｍ）Ｅを射出する半導体レーザー（発光素子）からなる。第１光源１０は、１つの半導体レーザーからなるものであってもよいし、多数の半導体レーザーからなるものであってもよい。
なお、第１光源１０は、４４５ｎｍ以外の波長（例えば、４６０ｎｍ）の青色光を射出する半導体レーザーを用いることもできる。
【００２４】
本実施形態において、第１光源１０は、光軸が照明光軸１００ａｘと直交するように配置されている。
コリメート光学系７０は、第１レンズ７２と、第２レンズ７４とを備え、第１光源１０からの光を略平行化する。第１レンズ７２及び第２レンズ７４は、凸レンズからなる。
【００２５】
ダイクロイックミラー８０は、コリメート光学系７０からコリメート集光光学系９０までの光路中に、第１光源１０の光軸及び照明光軸１００ａｘのそれぞれに対して４５°の角度で交わるように配置されている。ダイクロイックミラー８０は、青色光を反射し、赤色光及び緑色光を含む黄色の蛍光を通過させる。
【００２６】
コリメート集光光学系９０は、ダイクロイックミラー８０からの青色光Ｅを略集光した状態で回転蛍光板３０の蛍光体層４２に入射させる機能と、回転蛍光板３０から射出される蛍光を略平行化する機能とを有する。コリメート集光光学系９０は、第１レンズ９２及び第２レンズ９４を備える。第１レンズ９２及び第２レンズ９４は、凸レンズからなる。
【００２７】
第２照明装置１０２は、第２光源７１０、集光光学系７６０、散乱板７３２及びコリメート光学系７７０と、を備える。
【００２８】
第２光源７１０は、上記第１照明装置１００の第１光源１０と同一の半導体レーザーから構成される。
集光光学系７６０は、第１レンズ７６２及び第２レンズ７６４を備える。集光光学系７６０は、第２光源７１０からの青色光を散乱板７３２付近に集光する。第１レンズ７６２及び第２レンズ７６４は、凸レンズからなる。
【００２９】
散乱板７３２は、第２光源７１０からの青色光Ｂを散乱し、回転蛍光板３０から射出される蛍光Ｙの配光分布に似た配光分布を有する青色光Ｂとする。散乱板７３２としては、例えば、光学ガラスからなる磨りガラスを用いることができる。
【００３０】
コリメート光学系７７０は、第１レンズ７７２と、第２レンズ７７４とを備え、散乱板７３２からの光を略平行化する。第１レンズ７７２及び第２レンズ７７４は、凸レンズからなる。
【００３１】
本実施形態において、第２照明装置１０２からの青色光Ｂはダイクロイックミラー８０で反射され、回転蛍光板３０から射出されダイクロイックミラー８０を透過した蛍光Ｙと合成されて白色光Ｗとなる。当該白色光Ｗは第１レンズアレイ１２０に入射する。
【００３２】
図２は、実施形態に係る回転蛍光板を説明するために示す図である。図２（ａ）は回転蛍光板３０の正面図であり、図２（ｂ）は図２（ａ）のＡ１−Ａ１断面図である。
【００３３】
回転蛍光板３０は、図１及び図２に示すように、モーター５０と、円板４０と、反射膜４１と、蛍光体層（波長変換層）４２とを備える。回転蛍光板３０は、青色光が入射する側と同じ側に向けて蛍光Ｙを射出する。
円板４０は、例えば、アルミや銅といった放熱性に優れた金属製の円板から構成され、モーター５０により回転可能である。円板４０は、例えば、直径が５０ｍｍ〜６０ｍｍ程度に設定され、厚さが１ｍｍ〜２ｍｍ程度に設定される。円板４０には貫通穴４０ａが設けられている。
【００３４】
モーター５０は、回転軸５０ａと、ハブ５５とを含む。ハブ５５の直径は、例えば、２０ｍｍ程度に設定される。ハブ５５は、円板４０に設けられた貫通穴４０ａに嵌合（挿入）される嵌合部分５５ａを備えている。
ハブ５５の一端側は、回転軸５０ａに取り付けられ、該回転軸５０ａとともに回転可能である。ハブ５５の他端側に設けられた嵌合部分５５ａは、円板４０に設けられた貫通穴４０ａに嵌合されている。嵌合部分５５ａの回転軸５０ａの軸方向の高さが円板４０の厚さより低くなっている。これにより、ハブ５５は、貫通穴４０ａを覆う蛍光体層４２に接触することなく、貫通穴４０ａに良好に保持される。
【００３５】
また、貫通穴４０ａは、円板４０を形成する際、プレスにより外径と同時に形成できるため、高い同心度が確保されている。そのため、回転軸５０ａの回転に伴うがたつきや面ブレの発生が抑制されたものとなっている。
【００３６】
本実施形態において、ハブ５５は、円板４０とモーター５０とを連結する連結部材として機能する。例えば、回転蛍光板３０を組み立てる手順としては、まず、モーター５０の回転軸５０ａにハブ５５を取り付ける。続いて、蛍光体層４２を貼り付けた円板４０をハブ５５に取り付けることで回転蛍光板３０の組み立てが完了する。
【００３７】
このようにハブ５５を用いることで、回転蛍光板３０の組み立て作業を容易なものとすることができる。また、円板４０がハブ５５を介してモーター５０（回転軸５０ａ）と確実に固定されるので、回転軸５０ａの回転に伴うがたつきや面ブレの発生を抑制することができる。
【００３８】
したがって、回転時に回転蛍光板３０のがたつきや面ブレが発生することで、青色光Ｂの集光サイズが変化して、フリッカーと呼ばれる光のちらつきが発生するといった不具合の発生を防止することが可能である。
【００３９】
本実施形態において、蛍光体層４２は、平面形状が円盤状の無機材料から構成されている。蛍光体層４２は、円板４０の上面４０ｂに貫通穴４０ａを覆うように形成されている。蛍光体層４２の外径は、円板４０の外径よりも小さく設定されている。
【００４０】
蛍光体層４２は、第１光源１０からの青色光Ｅによって励起されて第２の波長帯の蛍光Ｙを射出する。蛍光Ｙは、赤色光及び緑色光を含む黄色光である。
【００４１】
蛍光体層４２は、例えば、イットリウムアルミニウムガーネット（ＹＡＧ）系蛍光体として、ＹＡＧ：Ｃｅを例にとると、Ｙ２Ｏ３、Ａｌ２Ｏ３、ＣｅＯ３等の構成元素を含む原料粉末を混合して固相反応させたもの、共沈法やソルゲル法等の湿式法により得られるＹ−Ａｌ−Ｏアモルファス粒子、噴霧乾燥法や火炎熱分解法、熱プラズマ法等の気相法により得られるＹＡＧ粒子等を用いることができる。
【００４２】
本実施形態では、蛍光体層４２を例えば以下の工程により製造することができる。
まず、Ｙ２Ｏ３、Ａｌ２Ｏ３、ＣｅＯ３を所定の分量混ぜた材料に必要に応じて、助材やバインダーを追加したもののエタノールを混ぜて混合する（混合工程）。続いて、エタノール混合物とジルコニアボールを回転させ、撹拌させる（撹拌工程）。
【００４３】
撹拌後、エタノールを除去（乾燥工程）し、蛍光体粒子の粒径を整え、ジルコニアボールを取り除く（造粒工程）。次に、一軸プレス或いは冷間等方圧加圧法（ＣＩＰ）により形状を円盤状に整える（成形工程）。次に、所定温度で焼き固める（焼結工程）。次に、所定の大きさにカット（カット工程）した後、表面を研磨することで所定の厚さに整える（研磨工程）。
このような工程に基づいて、本実施形態の蛍光体層４２を製造することができる。
【００４４】
反射膜４１は、蛍光体層４２と円板４０との間に設けられており、蛍光Ｙを高い効率で反射するように設計されている。そのため、円板４０における反射膜４１を成膜する面は、高い精度の平面粗さを有している。これにより、反射膜４１は、円板４０側に向かう蛍光Ｙの大部分を図２（ｂ）の上方向（円板４０とは反対側）に向けて反射することが可能である。
【００４５】
本実施形態において、蛍光体層４２にはレーザー光からなる青色光Ｅが入射するため、該蛍光体層４２において熱が発生する。本実施形態では、円板４０を回転させることで、蛍光体層４２における青色光Ｅの入射位置を順次変化させている。これにより、蛍光体層４２の同じ部分に青色光Ｂが集中的に照射されることで、蛍光体層４２が部分的に加熱されて劣化する、といった不具合の発生を防止している。
【００４６】
本実施形態において、青色光Ｂは、蛍光体層４２のうち貫通穴４０ａの外周側の領域に照射するようにしている。ここで、貫通穴４０ａの形成領域には円板４０が無いため、蛍光体層４２の熱が円板４０に伝達されない。言い換えれば、円板４０を介した蛍光体層４２の冷却効果が比較的小さい。
【００４７】
これに対し、本実施形態では、上述のように、青色光Ｂの照射位置が貫通穴４０ａからずれているため、蛍光体層４２における発熱領域は貫通穴４０ａの形成領域の外側に位置している。そのため、蛍光体層４２で発生した熱が円板４０に効率良く伝達され、蛍光体層４２が効率よく冷却される。
【００４８】
例えば、回転蛍光板３０は、使用時においてモーター５０により円板４０を７５００ｒｐｍで回転する。回転蛍光板３０の回転に伴い、円板４０の周囲に空気の乱流が発生する。このとき、騒音となる風切り音が発生する。
【００４９】
本実施形態の回転蛍光板３０では、蛍光体層４２を円盤状（図２（ａ）参照）とすることで円板４０の表面に生じる段差の数を低減させている。円板４０の表面に生じる段差の数とは、図２（ｂ）に示した回転蛍光板３０の断面で考えると、蛍光体層４２の両端部に生じた２つの段差４２ａ、４２ｂを意味する。
【００５０】
一方、従来のように、円板４０上に、リング状の蛍光体層を形成した場合、該リング状の蛍光体層は平面視で中心部に穴が形成されているため、断面で考えると、内側に２箇所と外側に２箇所の段差がある。すなわち、従来の回転蛍光板において円板表面に生じる段差の数は４つあった。
【００５１】
このように本実施形態では、円板４０の表面に生じる段差の数を低減させることによって、円板４０の周囲における空気の乱流が抑えられて、騒音となる風切り音が低減される。これにより、回転蛍光板３０の静音化を実現することが可能である。
【００５２】
図１に戻って、第１レンズアレイ１２０は、ダイクロイックミラー８０からの光を複数の部分光束に分割するための複数の第１小レンズ１２２を有する。複数の第１小レンズ１２２は、照明光軸１００ａｘと直交する面内にマトリクス状に配列されている。
【００５３】
第２レンズアレイ１３０は、第１レンズアレイ１２０の複数の第１小レンズ１２２に対応する複数の第２小レンズ１３２を有する。第２レンズアレイ１３０は、重畳レンズ１５０とともに、第１レンズアレイ１２０の各第１小レンズ１２２の像を液晶光変調装置４００Ｒ，４００Ｇ，４００Ｂの画像形成領域近傍に結像させる。複数の第２小レンズ１３２は照明光軸１００ａｘに直交する面内にマトリクス状に配列されている。
【００５４】
偏光変換素子１４０は、第１レンズアレイ１２０により分割された各部分光束を、直線偏光光に変換する。
【００５５】
重畳レンズ１５０は、偏光変換素子１４０からの各部分光束を集光して液晶光変調装置４００Ｒ，４００Ｇ，４００Ｂの画像形成領域近傍で互いに重畳させる。第１レンズアレイ１２０、第２レンズアレイ１３０及び重畳レンズ１５０は、回転蛍光板３０からの光の面内光強度分布を均一にするインテグレーター光学系を構成する。
【００５６】
色分離導光光学系２００は、ダイクロイックミラー２１０，２２０、反射ミラー２３０，２４０，２５０及びリレーレンズ２６０，２７０を備える。色分離導光光学系２００は、第１照明装置１００および第２照明装置１０２からの白色光Ｗを赤色光Ｒ、緑色光Ｇ及び青色光Ｂに分離し、赤色光Ｒ、緑色光Ｇ及び青色光Ｂをそれぞれが対応する液晶光変調装置４００Ｒ，４００Ｇ，４００Ｂに導光する。
色分離導光光学系２００と、液晶光変調装置４００Ｒ，４００Ｇ，４００Ｂとの間には、フィールドレンズ３００Ｒ，３００Ｇ，３００Ｂが配置されている。
【００５７】
ダイクロイックミラー２１０は、赤色光成分を通過させ、緑色光成分及び青色光成分を反射するダイクロイックミラーである。
ダイクロイックミラー２２０は、緑色光成分を反射して、青色光成分を通過させるダイクロイックミラーである。
反射ミラー２３０は、赤色光成分を反射する反射ミラーである。
反射ミラー２４０，２５０は青色光成分を反射する反射ミラーである。
【００５８】
ダイクロイックミラー２１０を通過した赤色光は、反射ミラー２３０で反射され、フィールドレンズ３００Ｒを通過して赤色光用の液晶光変調装置４００Ｒの画像形成領域に入射する。
ダイクロイックミラー２１０で反射された緑色光は、ダイクロイックミラー２２０でさらに反射され、フィールドレンズ３００Ｇを通過して緑色光用の液晶光変調装置４００Ｇの画像形成領域に入射する。
ダイクロイックミラー２２０を通過した青色光は、リレーレンズ２６０、入射側の反射ミラー２４０、リレーレンズ２７０、射出側の反射ミラー２５０、フィールドレンズ３００Ｂを経て青色光用の液晶光変調装置４００Ｂの画像形成領域に入射する。
【００５９】
液晶光変調装置４００Ｒ，４００Ｇ，４００Ｂは、入射された色光を画像情報に応じて変調して各色光に対応するカラー画像を形成するものである。なお、図示を省略したが、各液晶光変調装置４００Ｒ，４００Ｇ，４００Ｂの光入射側には、入射側偏光板が配置され、各液晶光変調装置４００Ｒ，４００Ｇ，４００Ｂの光射出側には、それぞれ射出側偏光板が配置されている。
【００６０】
クロスダイクロイックプリズム５００は、各液晶光変調装置４００Ｒ，４００Ｇ，４００Ｂから射出された各画像光を合成してカラー画像を形成する光学素子である。
【００６１】
このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【００６２】
クロスダイクロイックプリズム５００から射出されたカラー画像は、投写光学系６００によって拡大投写され、スクリーンＳＣＲ上で画像を形成する。
【００６３】
以上述べたように、本実施形態によれば、風切り音による騒音が低減された第１照明装置を提供することができる。よって、該第１照明装置１００を備えた本実施形態のプロジェクター１においても、静音化が図られている。
【００６４】
なお、本発明は、上記実施形態のものに必ずしも限定されるものではなく、本発明の趣旨を逸脱しない範囲において種々の変更を加えることが可能である。
【００６５】
例えば、上記実施形態では、ハブ５５を介してモーター５０および円板４０を固定する場合を例に挙げたが、本発明はこれに限定されない。例えば、モーター５０の回転軸５０ａが円板４０に直接挿入されることで固定されていても良い。
【００６６】
また、上記実施形態では、円板４０に形成された貫通穴４０ａに対してハブ５５を取り付ける場合を例に挙げたが、本発明はこれに限定されない。
【００６７】
例えば、図３に示すように、ハブ５５の取付穴４０ｃとして円板４０を貫通しない穴を採用しても良い。この構成によれば、円板４０の蛍光体層４２が配置される面が平坦であるため、穴のエッジにより蛍光体層４２が割れてしまうといった不具合の発生を防止できる。
【００６８】
また、取付穴４０ｃを形成する場合においても、蛍光体層４２のうち取付穴４０ｃの外周側の領域に青色光Ｂを照射するのが望ましい。
このようにすれば、蛍光体層４２における発熱領域は、円板４０の厚さが薄いことで熱が効率よく伝搬されない領域（取付穴４０ｃの形成領域）の外側に位置する。そのため、蛍光体層４２で発生した熱が円板４０を介して効率良く放熱され、蛍光体層４２が効率よく冷却される。
【００６９】
また、上記実施形態では、蛍光体層４２の外径を円板４０の外径よりも小さくする場合を例に挙げたが、本発明はこれに限定されない。
例えば、図４に示すように、蛍光体層４２の外形を円板４０の外径と同じにしても良い。
【００７０】
このようにすれば、蛍光体層４２および円板４０における端部４２Ａ、４０Ａがそれぞれ一致するようになる。よって、円板４０の表面に生じる段差の数を低減できるので、円板４０の回転に伴う騒音をさらに低減できる。
【００７１】
ところで、回転蛍光板３０を組み立てる際、円板４０がハブ５５に押し付けられる。このとき、蛍光体層４２に荷重が掛かると、蛍光体層４２が割れてしまうおそれがある。
【００７２】
上記実施形態では、ハブ５５の外径を蛍光体層４２の外径よりも小さくしていたが、本発明はこれに限定されない。例えば、図５に示すように、ハブ５５の外径を蛍光体層４２の外径よりも大きくしても良い。
【００７３】
図５に示す構成によれば、円板４０の表面のうち蛍光体層４２が形成されていない領域に対して直接加圧することができる。そのため、蛍光体層４２にダメージを与えることなく、円板４０とハブ５５とを強固に固定することができる。
【００７４】
また、上記実施形態では、３つの液晶光変調装置４００Ｒ，４００Ｇ，４００Ｂを備えるプロジェクター１を例示したが、１つの液晶光変調装置でカラー映像を表示するプロジェクターに適用することも可能である。また、光変調装置として、デジタルミラーデバイスを用いてもよい。
【００７５】
また、上記実施形態では本発明による照明装置をプロジェクターに搭載した例を示したが、これに限られない。本発明による照明装置は、照明器具や自動車のヘッドライト等にも適用することができる。
【符号の説明】
【００７６】
１…プロジェクター、１０…第１光源、３０…回転蛍光板（波長変換素子）、４０…円板、４０ａ…貫通穴（穴）、４０ｃ…取付穴（穴）、４２…蛍光体層（波長変換層）、５０…モーター（回転装置）、５０ａ…回転軸、５５…ハブ、１００…第１照明装置、４００Ｒ，４００Ｇ，４００Ｂ…液晶光変調装置（光変調装置）、６００…投写光学系。
【図１】
2016146293.tif 000003
【図２】
2016146293.tif 000004
【図３】
2016146293.tif 000005
【図４】
2016146293.tif 000006
【図５】
2016146293.tif 000007